(57)【要約】【課題】ファームウェアをアップデートできる表示装置を提供する。【解決手段】本発明の表示装置は、USBポート、USB制御チップ及びシステム制御器を含む。USBポートは、アップデート用データを記憶する記憶装置と接続するために使用される。USB制御チップは、USBポートと接続され、記憶装置から、表示装置におけるファームウェアのアップデートを必要とする少なくとも一つの所定のユニットにアップデート用データを伝送することを制御する。システム制御器は、USB制御チップと接続され、記憶装置からアップデート用データを読み出して所定のユニットに与える。【選択図】図２
2006268025.tif 000002
【特許請求の範囲】
【請求項１】
ファームウェアをアップデートできる表示装置であって、
アップデート用データを記憶する記憶装置と接続するためのユニバーサル・シリアル・バス（Universal  Serial  Bus：USB）ポートと、
前記USBポートと接続され、前記記憶装置から、前記表示装置におけるファームウェアのアップデートを必要とする少なくとも一つの所定のユニットに、前記アップデート用データを伝送することを制御するUSB制御チップと、
前記USB制御チップと接続され、前記記憶装置から前記アップデート用データを読み出して前記所定のユニットに与えるシステム制御器と、
を有する、
表示装置。
【請求項２】
前記USB制御チップと接続される前記所定のユニットは、検出器、光学エンジン制御器、スカラー・チップ（Scalar  Chip）及びデジタル・テレビ・モジュールのいずれかであり、
前記検出器は、表示データ・チャネル標準と前記検出器に記憶される拡張表示識別データに基づき、入力信号の表示フォーマットを検出し、
前記光学エンジン制御器は、前記表示装置の表示色を制御し、
前記スカラー・チップは、各種の前記表示フォーマットにより前記表示装置の表示画面の拡大と縮小を制御し、
前記デジタル・テレビ・モジュールは、前記表示装置のデジタル・テレビ機能を提供する、
請求項１に記載の表示装置。
【請求項３】
前記表示フォーマットは、VGA（Video  Graphic  Array）、HD1（High  Definition  １）及びHD2（High  Definition  ２）のいずれかである、
請求項２に記載の表示装置。
【請求項４】
スイッチを更に含み、
前記スイッチは、前記スカラー・チップ、前記デジタル・テレビ・モジュール、前記システム制御器及び前記USB制御チップの間に接続され、前記システム制御器の指示に基づき、前記USB制御チップからのアップデート用データを、前記スカラー・チップと前記デジタル・テレビ・モジュールのいずれかに与える、
請求項２に記載の表示装置。
【請求項５】
前記USB制御チップと前記システム制御器との間でコマンドを送る制御バスを更に含む、
請求項１に記載の表示装置。
【請求項６】
前記USB制御チップは、USBスレーブ装置であり、
前記記憶装置は、USBホスト装置である、
請求項１に記載の表示装置。
【請求項７】
前記記憶装置は、パーソナル・コンピュータ（Personal  Computer）である、
請求項６に記載の表示装置。
【請求項８】
前記USB制御チップは、USB  OTG（USB  On-the-go：USB  OTG）をサポートする、
請求項１に記載の表示装置。
【請求項９】
前記USB制御チップは、USBホスト装置であり、
前記記憶装置は、USBスレーブ装置である、
請求項８に記載の表示装置。
【請求項１０】
前記アップデート用データは、少なくとも一つのアップデート部分を含み、
前記システム制御器は、前記アップデート部分の名前に基づき、前記アップデート部分を前記所定のユニットに与える、
請求項１に記載の表示装置。
【請求項１１】
前記アップデート用データは、少なくともファームウェア・プログラム・コードと前記拡張表示識別データのいずれかを含む、
請求項１に記載の表示装置。
【請求項１２】
前記表示装置のファームウェアのアップデート進行状況と進行度を表示する表示部を更に含む、
請求項１に記載の表示装置。
【請求項１３】
ファームウェアをアップデートできる表示装置であって、
アップデート用データを記憶する記憶装置と接続するためのUSBポートと、
前記USBポートと接続され、前記記憶装置から、前記表示装置におけるファームウェアのアップデートを必要とする少なくとも一つの所定のユニットに、前記アップデート用データを伝送することを制御するUSB制御チップと、
を有する、
表示装置。
【請求項１４】
前記USB制御チップと接続される前記所定のユニットは、検出器、光学エンジン制御器、スカラー・チップ及びデジタル・テレビ・モジュールのいずれかであり、
前記検出器は、表示データ・チャネル標準と前記検出器に記憶される拡張表示識別データに基づき、入力信号の表示フォーマットを検出し、
前記光学エンジン制御器は、前記表示装置の表示色を制御し、
前記スカラー・チップは、各種の前記表示フォーマットにより前記表示装置の表示画面の拡大または縮小を制御し、
前記デジタル・テレビ・モジュールは、前記表示装置のデジタル・テレビ機能を提供する、
請求項１３に記載の表示装置。
【請求項１５】
前記USB制御チップと接続され、前記記憶装置から前記アップデート用データを読み出して前記所定のユニットに与えるシステム制御器を更に含む、
請求項１３に記載の表示装置。
【請求項１６】
前記USB制御チップは、USB  OTGをサポートする、
請求項１３に記載の表示装置。
【請求項１７】
前記アップデート用データは、少なくとも一つのアップデート部分を含み、
前記USB制御チップは、前記アップデート部分の名前に基づき、前記アップデート部分を前記所定のユニットに与える、
請求項１３に記載の表示装置。
【請求項１８】
前記USB制御チップは、前記アップデート用データを前記所定のユニットに与える、
請求項１３に記載の表示装置。
【請求項１９】
前記USB制御チップは、USBホスト装置であり、
前記記憶装置は、USBスレーブ装置である、
請求項１３に記載の表示装置。
【請求項２０】
前記USB制御チップは、USBスレーブ装置であり、
前記記憶装置は、パーソナル・コンピュータである、
請求項１３に記載の表示装置。
【発明の詳細な説明】
【技術分野】
【０００１】
本発明は、ファームウェア（Firmware）をアップデートできる表示装置に関し、特に、USB（Universal  Serial  Bus：USB）のポートを介してファームウェアをアップデートできる表示装置に関する。
【背景技術】
【０００２】
従来のテレビの構造は、図１に示すように、主にシステム制御器（Micro  Controller）１０３、スカラー・チップ（Scalar  Chip）１０４及び光学エンジン（Optical  Engine）１０５を含む。システム制御器１０３は、システム機能を制御し、スカラー・チップ１０４は、解像度に合わせて映像を拡大／縮小し、光学エンジン１０５は、映像を表示する。
【０００３】
従来のテレビは、機能が少ないので、ファームウェアをアップデートすることがあまりない。しかし、ファームウェアをアップデートする必要がある場合、通常、図１に示すように、まず接続ケーブル（例えば、RS２３２）によりパーソナル・コンピュータ１０１をテレビのポート１０２に接続し、それから、パーソナル・コンピュータによりポート１０２を介してファームウェアをアップデートする。
【０００４】
このようなアップデート方法は、欠点がある。まず、アップデート用ソフトウェアは一般的にハードディスク（Hard  Disk：HD）或いはコンパクトディスク（Compact  Disk：CD）に記憶され、ユーザがこのようなHD或いはCDでファームウェアのアップデートを行うことは容易ではないので、ソフトウェア、接続ケーブル及びパーソナル・コンピュータなどを用意し、技術者を派遣しなければならない。よって、購入後の保守サービスのコストが高い。次に、システム制御器とスカラー・チップしかにアップデートができないので、デジタル・テレビに適用できない。今日、テレビの構造が複雑で、機能も多く、様々な新たな機能は、ファームウェアのアップデートにより追加されることができるので、ファームウェアを簡単にアップデートすることは望ましい。
【発明の開示】
【発明が解決しようとする課題】
【０００５】
本発明の目的は、アップデート用ソフトウェアを簡単に取得し、ファームウェアを自動的にアップデートできる表示装置を提供することにある。
【課題を解決するための手段】
【０００６】
前述の目的を達成するために、本発明は、USBのポート、USBの制御チップ及びシステム制御器を含む表示装置を提供する。USBのポートは、アップデート用データを記憶する記憶装置を接続するために使用される。USB制御チップは、USBポートと接続され、記憶装置から、表示装置におけるファームウェアのアップデートを必要とする少なくとも一つの所定のユニットにアップデート用データを伝送することを制御する。システム制御器は、USB制御チップと接続され、記憶装置からアップデート用データを取得して所定のユニットに与える。
【０００７】
前述のUSB制御チップは、USBスレーブ（Slave）装置であり、記憶装置は、USBホスト（Host）装置である。記憶装置は、パーソナル・コンピュータであっても良い。
【０００８】
前述のUSB制御チップは、USBオーティージー（USB  On-the-go：USB  OTG）をサポートする。
【０００９】
前述のUSB制御チップは、USBホスト装置であり、記憶装置は、USBスレーブ装置である。記憶装置は、コンパクト・フラッシュ・メモリであっても良い。
【００１０】
前述のアップデート用データは、ファームウェア・プログラム・コードと拡張表示識別データ（Extended  Display  Identification  Data：EDID）のうち、少なくとも一つを含む。
【発明の効果】
【００１１】
本発明のUSB制御チップは、USB  OTGをサポートし、ホスト装置或いはスレーブ装置として用いられても良い。USB制御チップは、ホスト装置として使用される場合、スレーブ装置（例えば、コンパクト・フラッシュ・メモリ）と接続することにより、アップデート用ソフトウェアを取得し、アップデートを行う。また、USB制御チップは、スレーブ装置として使用される場合、USBホスト装置（例えば、パーソナル・コンピュータ）と接続することにより、アップデート用ソフトウェアを取得し、アップデートを行う。よって、アップデート用ソフトウェアを取得できる方法が多数あるので、ユーザは自分で簡単にアップデートすることができる。例えば、メーカーは、アップデート用ソフトウェアを記憶するコンパクト・フラッシュ・メモリをユーザに郵送し、ユーザは、このコンパクト・フラッシュ・メモリを本発明の表示装置に挿入すると、アップデートすることができる。或いは、ユーザは、パーソナル・コンピュータを用いてメーカーのホームページからアップデート用ソフトウェアをダウンロードし、このパーソナル・コンピュータと本発明の表示装置のUSBポートとを接続すると、アップデートすることができる。従って、本発明の表示装置を使用することにより、新たな機能の追加のみならず、ファームウェアの更新や補正等も簡単に行え、購入後の保守サービスのコストを削減することができる。
【発明を実施するための最良の形態】
【００１２】
次に、添付した図面を参照しながら、本発明の好適な実施形態を詳細に説明する。
【００１３】
図２は、本発明の好適な実施形態に係る表示装置の構造図である。図２に示すように、本実施形態の表示装置は、デジタル・テレビとモニターの両方の機能を有する。簡単に言うと、図２の左側にある検出器２０２〜２０４は、入力信号の解像度を検出するために使用されるものであり、図２の右側にあるシステム制御器２０７、スカラー・チップ２０８、デジタル・テレビ・モジュール（Digital  TV  Module）２０９及び光学エンジン制御器２１０は、デジタル・テレビの主な構成要素である。
【００１４】
本実施形態の表示装置において、ファームウェアのアップデートを行う構成要素は、主にUSBポート２０１、USB制御チップ２０５及びシステム制御器２０７を含む。そのうち、USBポート２０１は、アップデート用データを記憶する装置（図示せず）と接続するために使用される。ここで言うアップデート用データとは、ファームウェアをアップデートするためのファームウェア・プログラム・コード或いはデータを指し、少なくとも、一つのアップデート部分から構成される。USB制御チップ２０５は、USBポート２０１と接続され、記憶装置から、表示装置におけるファームウェアのアップデートを必要とする少なくとも一つの所定のユニットにアップデート用データを伝送することを制御する。
【００１５】
システム制御器２０７は、USB制御チップ２０５と接続され、記憶装置からアップデート用データを読み出し、アップデートする必要の所定のユニットに割り当てる。実際の割り当て方式は状況により異なり、例えば、本実施形態において、システム制御器２０７はアップデート部分の名前に基づいて、このアップデート部分に対応するユニットに割り当てる。また、本実施形態において、システム制御器２０７は、I2Cバス（Inter  Integrated  Circuit  Bus：I2C）によりUSB制御チップ２０５と接続され、他の要素も同じようにI2CバスによりUSB制御チップ２０５と接続される。しかし、本発明は、I2Cバスに限ることが無く、他の接続方式を使用しても良い。また、本実施形態において、USB制御チップ２０５とシステム制御器２０７との間でデータの伝送は頻繁であるので、制御バス２１１を使用し、USB制御チップとシステム制御器２０７との間でコマンドを送る。
【００１６】
本実施形態において、ファームウェアのアップデート可能なユニットは、検出器２０２〜２０４、スカラー・チップ２０８、デジタル・テレビ・モジュール２０９及び光学エンジン２１０を含む。そのうち、検出器２０２〜２０４は、USB制御チップ２０５と接続され、表示データ・チャネル（Display  Data  Channel：DDC）標準と各検出器に記憶される拡張表示データ識別データ（EDID）に基づいて、入力信号の表示フォーマット（Display  Format）、例えば、解像度などを検出する。本実施形態において、検出器２０２〜２０４が検出できる表示ファオーマットは、それぞれVGA（Video  Graphic  Array：VGA）、HD1（High  Definition  １：HD1）及びHD2（High  Definition  ２：HD2）である。また、検出器２０２〜２０４のアップデートとは、主に検出器に記憶されるEDIDを置換することである。
【００１７】
光学制御器２１０は、USB制御チップ２０５と接続され、本実施形態の表示装置の表示色を制御する。スカラー・チップ２０８は、各種表示フォーマットにより表示画面の拡大と縮小を制御する。デジタル・テレビ・モジュール２０９は、本実施形態のデジタル・テレビ機能、例えば、デジタル放送、デジタル・チャンネル、プログラム内容のレベル分け及びデジタル・クローズド・キャプション（Digital  Closed  Caption：DCC）を提供する。スイッチ２０６は、スカラー２０８、デジタル・テレビ・モジュール２０９、システム制御器２０７およびUSB制御チップ２０５の間に接続され、システム制御器２０７の指令に基づき、USB制御チップ２０５からのアップデート用データをスカラー・チップ２０８或いはデジタル・テレビ・モジュール２０９に与える。本実施形態において、スカラー・チップ２０８とデジタル・テレビ・モジュールは、RS２３２インターフェスのみを提供するので、スイッチ２０６を用いて、I2CとRS２３２インターフェスとを接続し、スカラー・チップ２０８とデジタル・テレビ・モジュール２０９へのデータ経路に切り替える必要がある。本発明の他の実施形態において、スカラー・チップ２０８とデジタル・テレビ・モジュール２０９は、I2Cバスをサポートすれば、USB制御チップ２０５と直接接続されても良い。即ち、この場合、スイッチ２０６は要らない。
【００１８】
本実施形態の表示装置は、前述の構成要素の他、ファームウェアのアップデート進行状況と進行度を表示する表示部（図示せず）を含む。本実施形態において、この表示部は、発光ダイオード（Light  Emitting  Diode：LED）からなり、しかし、本発明は此れに限ることがない。
【００１９】
本実施形態のUSB制御チップ２０５は、USB  OTGをサポートし、USBスレーブ装置として使用されてホスト装置（例えば、パーソナル・コンピュータ）と接続し、或いは、USBホスト装置として使用されてスレーブ装置（例えば、コンパクト・フラッシュ・メモリ）を接続する。よって、前述のパーソナル・コンピュータとコンパクト・フラッシュ・メモリを含む各種のUSB装置は、USBポート２０１と接続し、本実施形態の記憶装置として使用されることができる。
【００２０】
従って、アップデート用ソフトウェアを取得できる方法が多数あるので、ユーザは自分で簡単にアップデートを行うことができる。例えば、USB制御チップ２０５はUSBホスト装置としてスレーブ装置と接続される場合、メーカーは、アップデート用ソフトウェアを記憶するコンパクト・フラッシュ・メモリをユーザに郵送し、ユーザは、このコンパクト・フラッシュ・メモリを本発明の表示装置に挿入することにより、アップデートを行う。一方、USB制御チップ２０５は、USBスレーブ装置としてホスト装置と接続される場合、ユーザは、パーソナル・コンピュータを用いてメーカーのホームページからアップデート用ソフトウェアをダウンロードし、このパーソナル・コンピュータと本発明の表示装置のUSBポートとを接続することにより、アップデートを行う。従って、本発明の表示装置を使用することにより、新たな機能の追加のみならず、ファームウェアの更新や補正等も簡単に行え、購入後の保守サービスのコストを削減することができる。
【００２１】
次に、図３を参照する。図３は、本発明の他の実施形態に係る表示装置の構造図である。図３の実施形態と図２の実施形態との主な相違点は、図３のUSB制御チップ３０５がファームウェアのアップデートを制御するので、システム制御器を使用する必要が無くなり、また、図３のスカラー・チップ３０８とデジタル・テレビ・モジュール３０９が他のユニットと同様に、I2Cを介してUSB制御チップ３０５と接続するので、スイッチを使用する必要がなくなることにある。
【００２２】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２３】
【図１】従来のテレビの構造図である。
【図２】本発明の好適な実施形態に係る表示装置の構造図である。
【図３】本発明の他の実施形態に係る表示装置の構造図である。
【符号の説明】
【００２４】
１０１  パーソナル・コンピュータ
１０２  RS２３２ポート
１０３  システム制御器
１０４  スカラー・チップ
１０５  光学エンジン
２０１  USBポート
２０２〜２０４  検出器
２０５  USB制御チップ
２０６  スイッチ
２０７  システム制御器
２０８  スカラー・チップ
２０９  デジタル・テレビ・モジュール
２１０  光学エンジン制御器
２１１  制御バス
２１２  I2Cバス
３０５  USB制御チップ
３０８  スカラー・チップ
３０９  デジタル・テレビ・モジュール
【図１】
2006268025.tif 000003
【図２】
2006268025.tif 000004
【図３】
2006268025.tif 000005